【手続補正書】
【提出日】平成20年10月23日(2008.10.23)
【手続補正１】
【補正対象書類名】特許請求の範囲
【補正対象項目名】全文
【補正方法】変更
【補正の内容】
【特許請求の範囲】
【請求項１】
メディア・システムの読み取りチャネル内で等化器計算のためのオペレーションを実行するために、プロセッサが実行可能なマシン読み取り可能命令からなるプログラムを有形に具体化する、信号伝達メディアであり、前記オペレーションが、
データ・セット・セパレータ・シーケンスと、データ・セット・セパレータ・リードバック・シーケンスとの間の電気通信を受信するステップであって、前記データセット・セパレータ・リードバック・シーケンスが、前記読み取りチャネルによる前記データ・セット・セパレータ・シーケンスのチャネル処理の関数であるステップと、
前記データ・セット・セパレータ・シーケンスおよび前記データ・セット・セパレータ・リードバック・シーケンスの関数として、係数循環型等化器ベクトルを生成するステップと、
を有する、信号伝達メディア。
【請求項２】
前記オペレーションが、前記係数循環型等化器ベクトルに基づく前記データ・セット・セパレータ・リードバック・シーケンスの等化と前記データ・セット・セパレータ・シーケンスとの比較の関数として、エラー信号を生成するステップ、をさらに有する、請求項１に記載の信号伝達メディア。
【請求項３】
前記データ・セット・セパレータ・シーケンスおよび前記データ・セット・セパレータ・リードバック・シーケンスの関数として、前記係数循環型等化器ベクトルを生成する前記ステップが、
前記データ・セット・セパレータ・リードバック・シーケンスのサンプリングの関数として、データ・セット・セパレータ・リードバック・ベクトルを生成するステップと、
前記データ・セット・セパレータ・シーケンスのフィルタリング済みサンプリングの関数として、データ・セット・セパレータ基準ベクトルを生成するステップと、
前記データ・セット・セパレータ・リードバック・ベクトルおよび前記データ・セット・セパレータ基準ベクトルの関数として、前記係数循環型等化器ベクトルを生成するステップと
を含む、請求項１に記載の信号伝達メディア。
【請求項４】
前記オペレーションが、前記係数循環型等化器ベクトルに基づく前記データ・セット・セパレータ・リードバック・ベクトルの等化と前記データ・セット・セパレータ基準ベクトルとの比較の関数として、エラー信号を生成するステップ、をさらに有する、請求項３に記載の信号伝達メディア。
【請求項５】
前記データ・セット・セパレータ・リードバック・ベクトルおよび前記データ・セット・セパレータ基準ベクトルの関数として、前記係数循環型等化器ベクトルを生成する前記ステップが、
前記データ・セット・セパレータ・リードバック・ベクトルと前記データ・セット・セパレータ基準ベクトルとに基づく対角行列の関数として、前記係数循環型等化器ベクトルの奇数インデックスを生成するステップと、
前記係数循環型等化器ベクトルの前記奇数インデックスの補間の関数として、前記係数循環型等化器ベクトルの偶数インデックスを生成するステップと
をさらに含む、請求項３に記載の信号伝達メディア。
【請求項６】
前記データ・セット・セパレータ・シーケンスおよび前記データ・セット・セパレータ・リードバック・シーケンスの関数として、前記係数循環型等化器ベクトルを生成する前記ステップが、
前記データ・セット・セパレータ・リードバック・シーケンスのサンプリングの平均の離散フーリエ変換の関数として、データ・セット・セパレータ・リードバック複合ベクトルを生成するステップと、
前記データ・セット・セパレータ・シーケンスのフィルタリング済みサンプリングの離散フーリエ変換の関数として、データ・セット・セパレータ基準複合ベクトルを生成するステップと、
前記データ・セット・セパレータ・リードバック複合ベクトルおよび前記データ・セット・セパレータ基準複合ベクトルの関数として、係数循環型等化器複合ベクトルを生成するステップと
を含む、請求項１に記載の信号伝達メディア。
【請求項７】
前記データ・セット・セパレータ・シーケンスおよび前記データ・セット・セパレータ・リードバック・シーケンスの関数として、前記係数循環型等化器ベクトルを生成する前記ステップが、
前記データ・セット・セパレータ・リードバック複合ベクトルと前記データ・セット・セパレータ基準複合ベクトルとに基づく対角行列の関数として、前記係数循環型等化器複合ベクトルの奇数インデックスを生成するステップと、
前記係数循環型等化器複合ベクトルの前記奇数インデックスの補間の関数として、前記係数循環型等化器複合ベクトルの偶数インデックスを生成するステップと、
前記係数循環型等化器複合ベクトルの離散逆フーリエ変換の関数として前記係数循環型等化器ベクトルを生成するステップと、
をさらに含む、請求項６に記載の信号伝達メディア。
【請求項８】
プロセッサと、
読み取りチャネル内での等化器計算のために前記プロセッサによって動作可能な命令を格納するメモリであって、
データ・セット・セパレータ・シーケンスと、前記読み取りチャネルによる前記データ・セット・セパレータ・シーケンスのチャネル処理の関数であるデータ・セット・セパレータ・リードバック・シーケンスとの間の、電気通信を受信するステップと、
前記データ・セット・セパレータ・シーケンスおよび前記データ・セット・セパレータ・リードバック・シーケンスの関数として、係数循環型等化器ベクトルを生成するステップと
のために前記命令が実行される、メモリと
を備えるシステム。
【請求項９】
メディア・システムの読み取りチャネル内での等化器計算のための方法であって、
データ・セット・セパレータ・シーケンスと、読み取りチャネルによる前記データ・セット・セパレータ・シーケンスのチャネル処理の関数であるデータ・セット・セパレータ・リードバック・シーケンスとの間の、電気通信を受信するステップと、
前記データ・セット・セパレータ・シーケンスおよび前記データ・セット・セパレータ・リードバック・シーケンスの関数として、係数循環型等化器ベクトルを生成するステップと
を有する方法。
【請求項１０】
データ・セット・セパレータ・シーケンスの電気通信を受信するステップを動作可能な読み取りチャネルであって、データ・セット・セパレータ・シーケンスのチャネル処理の関数としてデータ・セット・セパレータ・リードバック・シーケンスを生成するステップもさらに動作可能である、読み取りチャネルと、
前記データ・セット・セパレータ・シーケンスと前記データ・セット・セパレータ・リードバック・シーケンスとの間の電気通信を受信するステップを動作可能な等化器係数生成器であって、前記データ・セット・セパレータ・シーケンスおよび前記データ・セット・セパレータ・リードバック・シーケンスの関数として係数循環型等化器ベクトルを生成するステップもさらに動作可能な、等化器係数生成器と
を有する、メディア・システム。
【請求項１１】
データ・セット・セパレータ・シーケンスとデータ・セット・セパレータ・リードバック・シーケンスとの間の電気通信を受信するように動作可能な等化器係数生成ユニットであって、
前記データ・セット・セパレータ・リードバック・シーケンスは、読み取りチャネルによる前記データ・セット・セパレータ・シーケンスのチャネル処理の関数であり、
前記等化器係数生成ユニットは、データ・セット・セパレータ・シーケンスおよびデータ・セット・セパレータ・リードバック・シーケンスの関数として係数循環型等化器ベクトルを生成するステップをさらに動作可能である、
等化器係数生成ユニットと、
前記データ・セット・セパレータ・シーケンス、前記データ・セット・セパレータ・リードバック・シーケンス、および前記係数循環型等化器ベクトルの間の電気通信を受信するステップを動作可能なパフォーマンス測定ユニットであって、前記パフォーマンス測定ユニットは、前記係数循環型等化器ベクトルに基づく前記データ・セット・セパレータ・リードバック・シーケンスの等化と前記データ・セット・セパレータ・シーケンスとの比較の関数として、エラー信号を生成するステップを動作可能である、パフォーマンス測定ユニットと、
を有する、システム。
【請求項１２】
前記等化器係数生成ユニットによって、前記データ・セット・セパレータ・シーケンスおよび前記データ・セット・セパレータ・リードバック・シーケンスの関数として、前記係数循環型等化器ベクトルを生成するステップが、
前記データ・セット・セパレータ・リードバック・シーケンスのサンプリングの関数として、データ・セット・セパレータ・リードバック・ベクトルを生成するステップと、
前記データ・セット・セパレータ・シーケンスのフィルタリング済みサンプリングの関数として、データ・セット・セパレータ基準ベクトルを生成するステップと、
前記データ・セット・セパレータ・リードバック・ベクトルおよび前記データ・セット・セパレータ基準ベクトルの関数として、前記係数循環型等化器ベクトルを生成するステップと
を含む、請求項１１に記載のシステム。
【請求項１３】
前記パフォーマンス測定ユニットによって、前記データ・セット・セパレータ・シーケンス、前記データ・セット・セパレータ・リードバック・シーケンス、および前記係数循環型等化器ベクトルの間の前記電気通信を受信する前記ステップが、前記データ・セット・セパレータ基準ベクトル、前記データ・セット・セパレータ・リードバック・ベクトル、および前記係数循環型等化器ベクトルの間の電気通信を受信するステップを含み、
前記パフォーマンス測定ユニットによって、前記係数循環型等化器ベクトルに基づく前記データ・セット・セパレータ・リードバック・シーケンスの等化と前記データ・セット・セパレータ・シーケンスとの比較の関数として、エラー信号を生成する前記ステップが、前記係数循環型等化器ベクトルに基づく前記データ・セット・セパレータ・リードバック・ベクトルの等化と前記データ・セット・セパレータ基準ベクトルとの比較の関数として、前記エラー信号を生成することを含む、
請求項１２に記載のシステム。
【請求項１４】
前記等化器係数生成ユニットによって、前記等化器係数生成ユニットによる前記データ・セット・セパレータ・リードバック・ベクトルおよび前記データ・セット・セパレータ基準ベクトルの関数としての前記係数循環型等化器ベクトルを生成する前記ステップが、
前記データ・セット・セパレータ・リードバック・ベクトルと前記データ・セット・セパレータ基準ベクトルとに基づく対角行列の関数として、前記係数循環型等化器ベクトルの奇数インデックスを生成するステップと、
前記係数循環型等化器ベクトルの前記奇数インデックスの補間の関数として、前記係数循環型等化器ベクトルの偶数インデックスを生成するステップと
をさらに含む、請求項１２に記載のシステム。
【請求項１５】
前記等化器係数生成ユニットによって、前記データ・セット・セパレータ・シーケンスおよび前記データ・セット・セパレータ・リードバック・シーケンスの関数として、前記係数循環型等化器ベクトルを生成する前記ステップが、
前記データ・セット・セパレータ・リードバック・シーケンスのサンプリングの平均の離散フーリエ変換の関数として、データ・セット・セパレータ・リードバック複合ベクトルを生成するステップと、
前記データ・セット・セパレータ・シーケンスのフィルタリング済みサンプリングの離散フーリエ変換の関数として、データ・セット・セパレータ基準複合ベクトルを生成するステップと、
前記データ・セット・セパレータ・リードバック複合ベクトルおよび前記データ・セット・セパレータ基準複合ベクトルの関数として、係数循環型等化器複合ベクトルを生成するステップと
を含む、請求項１１に記載のシステム。
【請求項１６】
前記等化器係数生成ユニットによって、前記等化器係数生成器による前記データ・セット・セパレータ・シーケンスおよび前記データ・セット・セパレータ・リードバック・シーケンスの関数としての、前記係数循環型等化器ベクトルを生成する前記ステップが、
前記データ・セット・セパレータ・リードバック複合ベクトルと前記データ・セット・セパレータ基準複合ベクトルとに基づく対角行列の関数として、前記係数循環型等化器複合ベクトルの奇数インデックスを生成するステップと、
前記係数循環型等化器複合ベクトルの前記奇数インデックスの補間の関数として、前記係数循環型等化器複合ベクトルの偶数インデックスを生成するステップと、
前記係数循環型等化器複合ベクトルの離散逆フーリエ変換の関数として前記係数循環型等化器ベクトルを生成するステップと
をさらに含む、請求項１５に記載のシステム。